(57)【要約】【課題】板状装飾用素材であって、表面に凹凸模様がある素材、また任意の重量感のある素材、さらに任意の特色ある色調を施した素材および該素材を使用した製品を安価に提供することを課題とする。【解決手段】凹凸からなる模様を有する型に合成樹脂液を注入して固形化させることにより蓋無し化粧箱を製作し、必要に応じて該蓋無し化粧箱の表面にメッキを施こしたのち、芯材を嵌め込んで接着剤で固着し、さらに蓋用化粧板を固着・密閉して板状装飾用素材を製作する。また、該板状装飾用素材の木口部分に丸み等の形状を適宜付加しさらに該木口部分に凹凸模様を設けて板状装飾用素材の装飾性を高める。【選択図】    図１
2004314383.tif 000002
【特許請求の範囲】
【請求項１】
板状の装飾用素材であって、凹凸からなる模様を有する型に注入して成形された合成樹脂製の蓋無し化粧箱に、芯材を入れて一体とし、さらに蓋用化粧板を固着・密閉して板状としたこと、を特徴とする板状装飾用素材。
【請求項２】
請求項１記載の発明において、木口部分を構成する部分にも模様を設けたこと、を特徴とする板状装飾用素材。
【請求項３】
請求項１記載または請求項２記載の発明において、合成樹脂製の蓋無し化粧箱の表面にメッキを施したこと、を特徴とする板状装飾用素材。
【請求項４】
請求項１ないし請求項３記載の板状装飾用素材を用いた建具・家具・仏具および建築物。
【発明の詳細な説明】
【０００１】
【発明の属する技術分野】
本願発明は、表面に凹凸模様および特定の色調を有し家具・建具・建築等に使用する板状装飾用素材および該素材を使用した建具・家具・仏具および建築物に関する。
【０００２】
【従来の技術】
【非特許文献１】
非特許文献は見当たりません。
【特許文献１】
特許電子図書館の公報テキスト検索で以下の条件で検索した。
「要約＋請求の範囲」  「建具  家具  仏具」
ＡＮＤ  「要約＋請求の範囲」  「板」
ＡＮＤ  「要約＋請求の範囲」  「合成  樹脂  プラス」
発見された件数は、公開特許公報で、４０６件であったが、該当すると思料できるものはなかった。
【特許文献２】
特許電子図書館の公報テキスト検索で以下の条件で検索した。
「要約＋請求の範囲」  「建具  家具  仏具」
ＡＮＤ  「要約＋請求の範囲」  「箱」
ＡＮＤ  「要約＋請求の範囲」  「合成  樹脂  プラス」
発見された件数は、公開特許公報で、２８件であったが、該当すると思料できるものはなかった。
【０００３】
建具・家具・仏具および建築物等に使用される従来の板状装飾用素材としては、パーティクルボード・ファイバーボード（特に  ＭＤＦ（Ｍｅｄｉｕｍ  Ｄｅｎｓｉｔｙ  Ｆｉｂｅｒｂｏａｒｄ））・集成材・合板等を芯材とし、その芯材の両面に薄木材片・模様紙・模様付き合成樹脂シート等を張付けたものが使用されている。
しかし、これらの板状装飾用素材の表面は通常平面であって凹凸模様を有するものは少なく、凹凸模様を有するものであっても凹凸の高さは小さくかつ凹凸模様も一定のパターンで機械的に繰り返されるものが殆どである。
また、これらの板状装飾用素材は、一体化された集成材等を芯材に使用するため、この集成材等の重量によって板状装飾用素材の重量が決定し、軽量化するのに限度があり、また任意の重量感のある素材を製造するのは極めて困難である。
そのうえ、これらの板状装飾用素材の木口部分には何等の装飾も施されていない。
【０００４】
また、板状装飾用素材として、特色ある色調が必要とされる場合がある。例えば、仏具には金色が必要とされることから、木質素材（例えば単一木材）・集成材・ＭＤＦ等に金箔を張ったもの、あるいは金属に金色メッキした素材が使用されてきているが、このような製造方法によるとどうしても高価につくことは避けられない。
【０００５】
【発明が解決しようとする課題】
従って、本願発明の目的は、表面に凹凸模様がある素材、また任意の重量感のある素材、さらに任意の特色ある色調を施した素材および該素材を使用した製品を安価に提供することにある。
【０００６】
【課題を解決するための手段】
上記目的を達するため、請求項１記載の発明は、凹凸からなる模様を有する型を使用し、その型に合成樹脂液を注入し固形化して蓋無し化粧箱を製作し、その化粧箱に任意の重量を有する芯材を入れて一体とし、さらに蓋用化粧板を固着・密閉して板状とすることにより、表面に凹凸模様のある任意の重量感のある板状装飾用素材を安価に提供可能にしたものである。
【０００７】
請求項２記載の発明は、板状装飾用素材の木口部分を構成する部分にも模様を設けることにより、装飾性を一層高めることを可能にしたものである。
【０００８】
さらに、請求項３記載の発明は、蓋無し化粧箱を製作した後、表面に任意のメッキを施すことにより、特定の色調を有する板状装飾用素材を廉価に提供できるようにしたものである。
【０００９】
また、請求項４記載の発明は、上述の板状装飾用素材を用いることにより、特定の色調を活かした建具・家具・仏具および建築物を安価に提供することを可能にしたものである。
【００１０】
【発明の実施の形態】
以下、本願発明の好ましい実施の形態を添付図を参照して具体的に説明する。
図１および図２は、製造過程の理解の便のため、本願発明による板状装飾用素材を裏の面から示し、さらに蓋用化粧板２０・２１の一部を切断（破線で図示）して、芯材の嵌合具合を図示している。
図３は、板状装飾用素材の表の面を示す。
製造過程は以下の通りである（図１、図２）。
【００１１】
先ず、箱状物が製作できるような下型・上型からなる型（図示省略）を製作し、さらに型の面に凹凸からなる模様を付加する。
該型に合成樹脂液を注入し固形化したのち型から外すと、図３に示すような凹凸模様４０や凸起枠５０を有する蓋無し化粧箱１０、１１が製作される。
なお、箱状物の底面部以外の側面部分は、最終的に板状装飾用素材になったときに木口部分を構成することになる。
合成樹脂材としては、成形性が良く成形後の変形が少なくかつ充分な強度を有するもの、さらにメッキを施す場合にはメッキ性の良いが望ましく、一般にはＡＢＳ樹脂が用いられる。
蓋無し化粧箱を構成する壁の厚さは、幅１５０ｍｍｘ高さ４００ｍｍｘ厚み１７ｍｍ程度の板状装飾用素材では、２ｍｍないし３ｍｍ程度であるが、もちろん板状装飾用素材の大きさ、使用する合成樹脂材の種類によっても変動する。
凸起枠を設ける場合には、蓋無し化粧箱の強度・剛性をさらに高めることができる。
【００１２】
特定の色調を持たせる場合には、この状態でメッキ、例えば仏具の場合には金メッキ、が施される。
【００１３】
次に芯材が嵌め込まれ接着剤で固着される。芯材には、枠組された枠組芯材３０あるいは一体型の一体型芯材３１、が使用され、素材としては、パーティクルボード・ファイバーボード（特にＭＤＦ）・集成材・合板等が用いられる。
なお、枠組芯材の場合には素材そのもののみならず大きさを適宜選ぶことにより、任意の重量感を有する板状装飾用素材を得ることが容易である。
【００１４】
さらに蓋用化粧板２０・２１を固着・密閉すると板状装飾用素材を得られる。
蓋用化粧板の表面には、蓋無し化粧箱１０、１１の表面と同じ色調が施されるのが通常であるが、異なった色調とすることもできる。
また、蓋用化粧板の表面に色調を施こす場合には、蓋無し化粧箱と同様にすることもできるが、一般には同色の箔シートが接着される。
【００１５】
図３には、凹凸模様を４隅に設けた場合を示すが、もちろん任意に配置することができる。
また、図１においては蓋用化粧板２０が蓋無し化粧箱１０に嵌め込んで固着される場合を、図２においては蓋用化粧板２１が蓋無し化粧箱１１の上部に固着される場合を示す。
もちろん、蓋無し化粧箱１０・１１と枠組芯材３０・一体型芯材３１と蓋用化粧板２０・２１との組み合わせは任意にできる。
【００１６】
図１においては木口部分の一片に丸みを持たせているが、丸みを持たせる木口部分は複数（図例、図２）であってもよく、またこの木口部分の形状を適当な任意形状、例えば階段状（図示省略）、とすることもできる。
なお、階段状とするときは、扉として段違に使用することにより密閉度等を高めることができる。
【００１７】
さらに、凹凸からなる模様を有する型（図示省略）の木口部分にも凹凸模様を設けることにより、板状装飾用素材の木口部分に凹凸模様を付けて装飾性を高めることができる。
【００１８】
図４に、本願発明による板状装飾用素材を、納骨・位牌壇に適用した例を示す。
もちろん、これ以外にも、仏具・家具の扉・引出部分・建築物の壁面等に適用できる。
【００１９】
【発明の効果】
凹凸からなる模様を有する型を使用して蓋無し化粧箱を製作したことから、表面に凹凸高さの大きな凹凸模様のある板状装飾用素材を安価に提供できるようになった。
【００２０】
蓋無し化粧箱の中に任意の重量を有する芯材を入れるに際し、芯材に単一集成材や枠組材を使用することにより、重量感のあるものや、重量の軽いものを任意に製作することが可能となった。
【００２１】
蓋無し化粧箱の素材にメッキ可能な材料、例えばＡＢＳ樹脂、を使用することにより、特定の色調を有する板状装飾用素材を安価に供給できた。
【００２２】
板状装飾用素材の木口部分を構成する部分にも模様を設けることにより、装飾性を一層高めることが可能になった。
【００２３】
特定の色調を活かした建具・家具・仏具および建築物を安価に提供できるようになった。
特にメッキの際に金メッキを施した素材は、豪華さを願う仏具の素材として有用なものを安価に提供できるようになった。
【図面の簡単な説明】
【図１】板状装飾用素材（その１）を示す斜視図である。蓋用化粧板の切断面を破線で図示してある。
【図２】板状装飾用素材（その２）を示す斜視図である。蓋用化粧板の切断面を破線で図示してある。
【図３】板状装飾用素材の表の面を示す斜視図である。
【図４】板状装飾用素材を納骨・位牌壇の扉に適用した実施例を示す斜視図である。
【符号の説明】
１０、１１  蓋無し化粧箱
２０、２１  蓋用化粧板
３０        枠組芯材
３１        一体型芯材
４０        凹凸模様
５０        凸起枠
【図１】
2004314383.tif 000003
【図２】
2004314383.tif 000004
【図３】
2004314383.tif 000005
【図４】
2004314383.tif 000006